(57)【要約】【課題】装着し歩行したときに楽でバッグが常に安定した状態のショルダーバッグ用ショルダーベルトを提供することを課題とする。【解決手段】ショルダーベルト１の両端を２股に分岐形成し、その隙間に頭を入れ、両肩で各ショルダーベルト３，４を支えるような構成としたショルダーバッグ用ショルダーベルト１を創案した。【選択図】      図１
0003105915.tif 000002
【実用新案登録請求の範囲】
【請求項１】
バッグ（５）の両端に、内側、外側ショルダーベルト（４，３）を２股に分岐したショルダーベルト（１）を取り付け、その２股の隙間に装着者が頭を通して各ショルダーベルト（１）を分けて両肩で支え、バッグを（５）脇下に安定して吊垂できるショルダーバッグ用ショルダーベルト。
【請求項２】
前記ショルダーベルト（１）の両端をバッグ（５）に固着せず、両端にフック（１３）を配置して、バッグ（５）の前後の取付環（１２）に着脱自在に取り付けることを特徴とする請求項１に記載のショルダーバッグ用ショルダーベルト。
【請求項３】
前記ショルダーベルト（１）とバッグ（５）との間、装着者のほぼ胸の位置にくるようにリング（９）を配設し、前記リング（９）には鍵（１１）又はアクセサリー（１０）を吊るして装着者の趣向を表すことができることを特徴とする請求項１又は請求項２に記載のショルダーバッグ用ショルダーベルト。
【請求項４】
前記内側ショルダーベルト（４）の前後両端にはフック（１３）を配備し外側ショルダーベルト（３）の前後の取付環（１２）に着脱自在に取り付けることを特徴とする請求項１乃至請求項３に記載のショルダーバッグ用ショルダーベルト。
【請求項５】
前記ショルダーベルト（１）を幼稚園児用かばん、水筒用提げ紐としても使用できることを特徴とする請求項１乃至請求項４に記載のショルダーバッグ用ショルダーベルト。
【考案の詳細な説明】
【技術分野】
【０００１】  本考案は、２股に分岐したショルダーベルトの隙間に頭を通して各ショルダーベルトを分けて両肩で支え、バッグを安定して脇下に吊垂するショルダーバッグ用ショルダーベルトを提供する。
【背景技術】
【０００２】  従来技術では、重いショルダーバッグ（パソコンを運ぶ場合も多い）を１本のショルダーベルトで吊垂して運搬するしかなく、それはバッグ本体が前後に揺動したり、バランスを取るため歩行するとき装着者の体が絶えず右に傾いて歩き、そうかといって片側の肩に掛けると肩からずれ落ち、歩行は労苦を伴った。また、手に持つにしては重い荷物であり。そのようなことに対する改善の兆しは未だなかった。
【考案が解決しようとする課題】
【０００３】そこで、本考案は、２股に分岐したショルダーベルト３，４の間に頭を通し、両肩にそれぞれのショルダーベルト３，４を分けて支え、バッグ５を安定した楽な状態で吊垂できるようにした２股に分岐したショルダーベルト１を創案した。
【課題を解決するための手段】
【０００４】  前記目的を達成するために、請求項１の考案は、２股に分岐したショルダーベルト１の隙間に頭を通してショルダーベルト１を両肩に分けて支え、バッグ５を脇下に安定して吊垂できるショルダーバッグ用ショルダーベルト１としたものである。
請求項２の考案は、前記ショルダーベルト１の両端をバッグ５に固着せず、両端にフック１３を配置して、バッグ５の前後の取付環１２に着脱自在に取り付けたことを特徴とする請求項１に記載のショルダーバッグ用ショルダーベルト１としたものである。
【０００５】  請求項３の考案は、前記ショルダーベルト１とバッグ５との間、装着者のほぼ胸の位置にくるようにリング９を配設し、前記リング９には鍵１１又はアクセサリー１０を吊るして装着者の趣向を表すことができることを特徴とする請求項１又は請求項２に記載のショルダーバッグ用ショルダーベルト１としたものである。
【０００６】  請求項４の考案は、前記内側ショルダーベルト４の前後両端にはフック１３を配備し、外側ショルダーバッグ２の前後の取付環１２に着脱自在に取り付けることを特徴とする請求項１乃至請求項３に記載のショルダーバッグ用ショルダーベルト１としたものである。
請求項５の考案は、前記ショルダーベルト１を幼稚園児用かばん、水筒用提げ紐としても使用できることを特徴とする請求項１乃至請求項４に記載のショルダーバッグ用ショルダーベルト１としたものである。
【考案の効果】
【０００７】  請求項１の考案は、前記のとおりとしたことにより、バッグ５の前後の揺動も少なく、肩からずり落ちず、装着者の姿勢を歪ませることもなく、両肩に分けて支えるので楽であるという効果を有する。
請求項２の考案は、前記のとおりとしたことにより、どちらかといえば煩雑な感じのするショルダーベルト１を取り外し、短距離間の運搬に手提げバッグとして用いることができるという効果を奏する。
【０００８】  請求項３の考案は、前記のとおりとしたことにより、前記リング９にアクセサリー１０等を吊るして装着者の趣向を表すことができるという効果を奏する。
請求項４の考案は、前記のとおりとしたことにより、内側のショルダーベルト４のみを着脱自在とし、取り外して外側ショルダーベルトのみの普通のタイプにもでき、また、内側のショルダーベルト４のみ幅を狭くしたり、色彩を変えたり、縞模様を付してデザインにアクセントを加えることができるという効果を奏する。
【０００９】  請求項５の考案は、前記のとおりであることから、幼稚園児用かばん、水筒用提げ紐のみならず、通常のあらゆるバッグ類に実施できることは勿論のことである。
【考案を実施するための最良の形態】
【００１０】  本考案の実施の最良の形態を以下図面に沿って説明する。図１は、１人の成人男子が本考案の２股に分岐したショルダーベルト１付きのショルダーバッグ２を装着したところを示した図であり、２股に分岐したショルダーベルト３，４の隙間に頭を通して各ショルダーベルト３，４を分けて両肩で支える。符号４は内側ショルダーベルト、符号３は外側ショルダーベルトを表す。【００１１】  図２は、ショルダーベルト１をバッグ５に固着せず、ショルダーベルト１の両端にフック１３を配し、必要なときには比較的煩雑なショルダーベルト１を取り外して単独の手提げかばんにすることも可能であることを示したものである。例えば比較的短距離間とか、会社内の部屋の間を持ち運ぶ場合に用いる。【００１２】  図３は、ショルダーベルト１とバッグ５との間に、装着者のほぼ胸の位置にくるように比較的大きいリング９を配設し、そのリング９には、アクセサリー１０や鍵１１などを吊るして装着者の趣味性を表すことができる。【００１３】  図４は、内側ショルダーベルト４のみの両端にフック１３を取り付けバッグ５の前後に配置した取付環１２との間に着脱自在に取り付けられるようにした。そのため内側ショルダーベルト４のない従来型の１本のショルダーベルトの態様にすることも可能であり、また、出来合いの従来型の１本のショルダーベルト付きショルダーバッグにもこの内側ショルダーベルト４を付加して使用することができ、内側ショルダーベルト４のみを幅を狭くしたり、色彩を変えたり、縞模様を付けたりしてデザイン上、変化を期待することができる。符号１４は長さ調節用バックルである。【００１４】  請求項５に述べて図示していないが、幼稚園児用かばんや水筒用提げ紐などその他のバッグ形態に本考案の態様を実施することは、本考案の変形の態様として当然である。
【図面の簡単な説明】
【００１５】
【図１】本考案のショルダーベルト１を使用したショルダーバッグ２を１人の男子が着装した図を示す。
【図２】本考案のショルダーベルト１を取り外し、バッグ５のみを示した図であり、符号６は手で持ち運ぶときの提げ手である。
【００１６】
【図３】本考案のショルダーベルト１の両端とバッグ５との間にリング９を配した図を示す。
【図４】本考案の内側ショルダーベルト４のみを着脱自在としたことを示す図である。
【符号の説明】
【００１７】１    ショルダーベルト、（ショルダーバッグ用ショルダーベルト）
２    ショルダーバッグ
３    外側ショルダーベルト
４    内側ショルダーベルト
５    バッグ
６    提げ手
７    ショルダーベルト取付金具
８    ファスナー
９    リング
１０  アクセサリー
１１  鍵
１２  取付環
１３  フック１４
１４  長さ調節用バックル
【図１】
0003105915.tif 000003
【図２】
0003105915.tif 000004
【図３】
0003105915.tif 000005
【図４】
0003105915.tif 000006